(57)【要約】【課題】装置の取り外し可能な構成要素の存在を反映するように更新可能なベクトル画像を提供する。【解決手段】一実施形態において、方法は、画像要求を受け取ったことに応答して、（１）画像要求のターゲットである装置１１０から、装置の少なくとも一部を示すベクトル画像４００を検索し（２００）、（２）装置の取り外し可能構成要素の構成要素存在情報を検索し（２０２）、（３）構成要素存在情報に応答して、（Ａ）ベクトル画像内の、取り外し可能構成要素と構成要素画像３００を定義するベクトルセットとが関連付けられている構成要素タグを識別することにより、及び（Ｂ）取り外し可能構成要素の構成要素存在情報に従って、構成要素タグに対応する、ベクトル画像の表示中に構成要素画像の表示に影響を及ぼす表示インジケータを設定することにより、ベクトル画像をフォーマットし（２０４）、（４）ベクトル画像をフォーマットしたもの６００を返す（２０６）。【選択図】図２
2007122722.tif 000002
【特許請求の範囲】
【請求項１】
コンピュータ可読媒体と、
前記コンピュータ可読媒体に記憶されたコンピュータ可読コードと、
を備え、
前記コンピュータ可読コードは、画像要求を受け取ったことに応答して、
前記画像要求のターゲットである装置から、該装置の少なくとも一部を示すベクトル画像を検索するコードと、
前記装置の取り外し可能構成要素の構成要素存在情報を検索するコードと、
前記構成要素存在情報に応答して、
前記ベクトル画像内の、（ｉ）前記取り外し可能構成要素と（ｉｉ）構成要素画像を定義するベクトルセットとが関連付けられている構成要素タグを識別することにより、及び
前記取り外し可能構成要素の前記構成要素存在情報に従って、前記構成要素タグに対応する、前記ベクトル画像の表示中に前記構成要素画像の表示に影響を及ぼす表示インジケータを設定することにより、前記ベクトル画像をフォーマットするコードと、
前記ベクトル画像をフォーマットしたものを返すコードと、
を含む製品。
【請求項２】
コンピュータで実行され、装置の画像をフォーマットするための方法であって、画像要求を受け取ったことに応答して、
前記画像要求のターゲットである装置から、該装置の少なくとも一部を示すベクトル画像を検索するステップと、
前記装置の取り外し可能構成要素の構成要素存在情報を検索するステップと、
前記構成要素存在情報に応答して、
前記ベクトル画像内の、（ｉ）前記取り外し可能構成要素と（ｉｉ）構成要素画像を定義するベクトルセットとが関連付けられている構成要素タグを識別し、
前記取り外し可能構成要素の前記構成要素存在情報に従って、前記構成要素タグに対応する、前記ベクトル画像の表示中に前記構成要素画像の表示に影響を及ぼす表示インジケータを設定する、
ことにより、前記ベクトル画像をフォーマットするステップと、
前記ベクトル画像をフォーマットしたものを返すステップと、
を含む、方法。
【請求項３】
前記画像要求を受け取ったことに応答して、
前記取り外し可能構成要素の構成要素状態情報を検索するステップと、
前記構成要素状態情報に応答して、
前記ベクトル画像内の、（ｉ）前記取り外し可能構成要素と（ｉｉ）該取り外し可能構成要素の異なる状態を反映する構成要素画像とが関連付けられている少なくとも１つの追加の構成要素タグを識別し、
前記取り外し可能構成要素の前記構成要素状態情報に従って、前記構成要素タグのうちの異なるタグに対応する異なる表示インジケータを設定する、
ことにより、前記ベクトル画像をフォーマットするステップと、
をさらに含む、請求項２に記載の方法。
【請求項４】
前記画像要求を受け取ったことに応答して、前記取り外し可能構成要素の構成要素状態情報を検索するステップをさらに含み、
前記ベクトル画像をフォーマットするステップは、前記構成要素状態情報に従って前記表示インジケータを設定するステップをさらに含む、請求項２に記載の方法。
【請求項５】
前記ベクトル画像をフォーマットするステップが、前記構成要素画像を表示させる又は非表示にするように前記表示インジケータを設定するステップをさらに含む、請求項２に記載の方法。
【請求項６】
前記ベクトル画像をフォーマットするステップが、前記構成要素画像を不透明又は半透明にするように前記表示インジケータを設定するステップをさらに含む、請求項２に記載の方法。
【請求項７】
前記構成要素存在情報が、前記取り外し構成要素が存在しないことを示す場合、前記ベクトル画像は、前記構成要素画像を塗りつぶしパターンで描画させるように前記表示インジケータを設定することによってフォーマットされる、請求項２に記載の方法。
【請求項８】
装置の少なくとも一部を示す画像が記憶される不揮発性メモリであって、前記画像は複数のベクトル及び構成要素タグを含み、該構成要素タグには、（ｉ）前記装置の取り外し可能構成要素、（ｉｉ）構成要素画像を定義するベクトルセット、及び（ｉｉｉ）ベクトル画像の表示中に前記構成要素画像の表示に影響を及ぼす編集可能な表示インジケータ、が関連付けられている、不揮発性メモリと、
前記ベクトル画像に対する要求を受け取ると、該ベクトル画像を返すインタフェースと、
を備えている装置。
【請求項９】
前記ベクトル画像に対する要求を受け取ったことに応答して、
前記取り外し可能構成要素の構成要素存在情報を検索するコードと、
前記構成要素存在情報に従って前記表示インジケータを設定することにより、該構成要素存在情報に応答して前記ベクトル画像をフォーマットするコードと、
前記フォーマット済み画像を装置管理ツールに返すコードと、
をさらに備えている、請求項８に記載の装置。
【請求項１０】
前記ベクトル画像に対する要求を受け取ったことに応答して、
前記取り外し可能構成要素の構成要素状態情報を検索するコードと、
前記構成要素状態情報に応答して、
前記ベクトル画像内の、（ｉ）前記取り外し可能構成要素と（ｉｉ）該取り外し可能構成要素の異なる状態を反映する構成要素画像とが関連付けられている少なくとも１つの追加の構成要素タグを識別し、
前記取り外し可能構成要素の前記構成要素状態情報に従って、前記構成要素タグのうちの異なるタグに対応する異なる表示インジケータを設定する、
ことにより、前記ベクトル画像をフォーマットするコードと
をさらに備えている、請求項９に記載の装置。
【発明の詳細な説明】
【技術分野】
【０００１】
本発明は、一般に、画像に関し、特に、装置の取り外し可能な構成要素の存在を反映するように更新可能なベクトル画像に関する。
【背景技術】
【０００２】
装置の管理は通常、そのユーザに装置をグラフィックで視覚化する手段を提供することによって支援される。場合によっては、装置の１つ又は複数の画像及びその装置の構成要素を紙又は電子文書（たとえば、ユーザマニュアル）内に含めることができる。また場合によっては、装置の内部構成要素の１つ又は複数のビューを示すステッカーを装置に提供することもある。
【０００３】
また場合によっては、装置の画像を装置管理ツール内に組み込むこともある。たとえば、プリントドライバが対応するプリンタの画像を表示したり、サーバ管理ツールが認識している、又は管理することができるサーバ構成要素（たとえば、サーバのメモリモジュール、インタフェース、又はストレージディスク）に関連する各種画像を表示したりする。
【０００４】
グラフィック画像が必要な多くの装置は変更を受ける。すなわち、そういった装置は、追加構成要素（たとえば、メモリモジュール、インタフェース、又はストレージディスク）を装置に挿入又は取り付けることができるようにアップグレード可能であり得る。そのため、画像作成者が直面する問題は、装置の各構成の画像を描画するか、それとも装置が１つの特定の「デフォルト」構成にあることを示す１つの「例示的な」画像を描画するかである。
【０００５】
装置はまた、その寿命までの間に変更を受け得る。すなわち、装置の外装の様式、内部構成要素の供給業者、「デフォルト」構成、及びさらには利用可能な機能までもが装置の寿命までの間に変更され得る。したがって、装置の第１世代に関連するいずれの画像もその装置の後続世代を正確に示さない可能性がある。
【０００６】
理解できるように、装置のグラフィック画像の作成及び保守は、装置の製造業者及び第三者の装置サポート業者（たとえば、管理ツール開発業者）の両者に対して大きな負担となり得る。
【発明の開示】
【０００７】
一実施形態では、画像フォーマットユーティリティは、画像要求を受け取ったことに応答して、（１）画像要求のターゲットである装置から、装置の少なくとも一部を示すベクトル画像を検索するコードと、（２）装置の取り外し可能構成要素の構成要素存在情報を検索するコードと、（３）構成要素存在情報に応答して、（Ａ）ベクトル画像内の、取り外し可能構成要素と構成要素画像を定義するベクトルセットとが関連付けられている構成要素タグを識別することにより、及び（Ｂ）取り外し可能構成要素の構成要素存在情報に従って、構成要素タグに対応する、ベクトル画像の表示中に構成要素画像の表示に影響を及ぼす表示インジケータを設定することにより、ベクトル画像をフォーマットするコードと、（４）ベクトル画像をフォーマットしたものを返すコードと、を備える。
【０００８】
別の実施形態では、製品は、コンピュータ可読媒体と、コンピュータ可読媒体に記憶されたコンピュータ可読コードとを備える。コンピュータ可読コードは、画像要求を受け取ったことに応答して、（１）画像要求のターゲットである装置から、装置の少なくとも一部を示すベクトル画像を検索するコードと、（２）装置の取り外し可能構成要素の構成要素存在情報を検索するコードと、（３）構成要素存在情報に応答して、（Ａ）ベクトル画像内の、（ｉ）取り外し可能構成要素と（ｉｉ）構成要素画像を定義するベクトルセットとが関連付けられている構成要素タグを識別することにより、及び（Ｂ）取り外し可能構成要素の構成要素存在情報に従って、構成要素タグに対応する、ベクトル画像の表示中に構成要素画像の表示に影響を及ぼす表示インジケータを設定することにより、ベクトル画像をフォーマットするコードと、（４）ベクトル画像をフォーマットしたものを返すコードと、を含む。
【０００９】
さらに別の実施形態では、コンピュータで実行され、装置の画像をフォーマットする方法は、画像要求を受け取ったことに応答して、（１）画像要求のターゲットである装置から、装置の少なくとも一部を示すベクトル画像を検索すること、（２）装置の取り外し可能構成要素の構成要素存在情報を検索すること、（３）構成要素存在情報に応答して、（Ａ）ベクトル画像内の、取り外し可能構成要素と構成要素画像を定義するベクトルセットとが関連付けられている構成要素タグを識別することにより、及び（Ｂ）取り外し可能構成要素の構成要素存在情報に従って、構成要素タグに対応する、ベクトル画像の表示中に構成要素画像の表示に影響を及ぼす表示インジケータを設定することにより、ベクトル画像をフォーマットすること、及び（４）ベクトル画像をフォーマットしたものを返すこと、を含む。
【００１０】
さらに別の実施形態では、装置は、装置の少なくとも一部を示す画像が記憶される不揮発性メモリを備える。画像は複数のベクトル及び構成要素タグを含む。構成要素タグには、装置の取り外し可能構成要素、構成要素画像を定義するベクトルセット、及びベクトル画像の表示中に構成要素画像の表示に影響を及ぼす編集可能な表示インジケータ、が関連付けられている。装置はまた、ベクトル画像に対する要求を受け取ると、ベクトル画像を返すインタフェースを備える。
【００１１】
他の実施形態についても開示する。
【００１２】
本発明の例示的な実施形態を図面に示す。
【発明を実施するための最良の形態】
【００１３】
装置のグラフィック画像を作成し保守するという負担を軽減した進展は、装置自体内に装置の画像を電子的に記憶することである。たとえば、装置の異なるビュー、及び／又は構成要素に関連する異なる画像を、スケーラブルベクターグラフィックス（ＳＶＧ）画像又は他の操作が容易な画像タイプとして保存し、装置の不揮発性メモリ（常にとは限らないが好ましくは装置のファームウェア内）に記憶することができる。このため、装置の管理ツール自体はもはや装置の画像のセットを提供する必要がない。むしろ、管理ツールには、（１）装置に照会（クエリー）して装置の画像を検索する能力、及び（２）装置の現在の状態を反映するように画像をフォーマットする能力、を提供する必要があるだけである。このようにして、管理ツールの開発業者は装置の外観を考慮する必要がなく、その代わりとして装置がどのように機能するか、及び装置がどのように管理されるかに集中することができる。
【００１４】
装置の画像に対応する必要があるという管理ツール開発業者の負担をさらに軽減するために、画像フォーマットユーティリティ１００（図１及び図２）及びこれを組み込んだシステムを本明細書において開示する。例として、「ユーティリティ」１００は、１つ又は複数のコンピュータ可読媒体に記憶されるコンピュータ可読コードにおいて具現されるアプリケーション又はブラウザプラグインの形をとり得る。コンピュータ可読媒体には、たとえば、単一の場所にある、又はネットワークに分散した任意の数の固定又は取り外し可能な媒体（１つ又は複数の固定ディスク、ランダムアクセスメモリ（ＲＡＭ）、読み出し専用メモリ（ＲＯＭ）、又はコンパクトディスク等）又はこれらの組み合わせが含まれ得る。
【００１５】
画像フォーマットユーティリティ１００について詳細に説明する前に、画像フォーマットユーティリティ１００を使用することができる例示的なシステム１０２（図１）について説明する。
【００１６】
システム１０２は、画像要求を生成する１つ又は複数の装置管理ツール１０４、１０６、１０８と、画像要求のターゲットであり得る１つ又は複数の装置１１０、１１２、１１４とを備える。各装置１１０〜１１４には、その装置の少なくとも一部を示す１つ又は複数の画像（すなわち、画像セット）が記憶される不揮発性メモリが提供される。管理ツール１０４〜１０８及び装置１１０〜１１４が画像フォーマットユーティリティ１００のインタフェースと互換性を有するインタフェースを備えるものと想定すると、ユーティリティ１００は、（１）任意の１つ又は複数の管理ツール１０４〜１０８から複数の画像要求を受け取ること、及び（２）複数の画像要求に応答して、複数の装置１１０〜１１４から検索された画像をフォーマットし、フォーマット済み画像を管理ツール１０４〜１０８のうちの要求を行った管理ツールに返すこと、を行うことができる。なお、システム１０２の管理ツール１０４〜１０８及び装置１１０〜１１４は互いに対する直接リンクを有さず、また互いに依存しない。このため、そのうちの一方を、他方に影響を及ぼすことなく容易に変更し、又は取り付けることができる。さらに、装置１１０〜１１４内に記憶されている画像（複数可）は、更新される画像がユーティリティ１００又は管理ツール１０４〜１０８によってどのように描画されるかについて何等心配する必要なく更新することができる。
【００１７】
システム１０２の管理ツール１０４〜１０８は各種の形をとることができ、たとえば、その形としてプリントドライバ、構成マネージャ、ライセンシングマネージャ、サーバマネージャ、システムマネージャ、又はネットワークマネージャが挙げられる。システム１０２の一実施形態では、装置管理ツール１０４〜１０８のうちの１つ又は複数はウェブブラウザを通してユーザインタフェース（たとえば、グラフィカルユーザインタフェース（ＧＵＩ））を提示することができる。
【００１８】
システム１０２の装置１１０〜１１４はまた、各種の形をとることができ、たとえばその形としては、サーバ、コンピュータシステム、プリンタ、又はネットワークが挙げられる。さらに、画像が記憶される装置は他の装置の一部であってもよい。たとえば、画像は、コンピュータのマザーボードのメモリに記憶してもよく、その一方で追加の画像は、マザーボードのスロットに挿入されている構成可能なビデオカード又はネットワーキングカードに記憶してもよい。
【００１９】
一実施形態では、装置内に記憶される１つの画像又は複数の画像（すなわち、画像セット）はＳＶＧ画像を含む。ＳＶＧとは、２次元グラフィックス及びグラフィックスアプリケーションを拡張可能マークアップ言語（ＸＭＬ）で記述する言語である。ＳＶＧ仕様はワールドワイドウェブコンソーシアム（Ｗ３Ｃ（登録商標））により公開されている。ＳＶＧ画像は、記憶要件が小さいこと、サイズがスケーラブルなこと、及び構成可能なことにより装置に記憶されるのに特に適している。別法として、装置の画像セットは、他のベクトルベースの画像（たとえば、ポストスクリプト画像）等の、他のタイプの操作が容易な画像を含んでもよい。
【００２０】
各装置１１０〜１１４はその画像セットを不揮発性メモリに記憶することができる。各画像セット内の画像は、記憶されている装置の少なくとも一部を示し、場合によっては、装置の異なる部分又はビューを示し得る。本説明において後に明らかになる目的のために、記憶される画像のうちの１つ又は複数は、いくつかの埋込み構成要素タグを含むベクトル画像であることができ、その各タグには、（１）画像が記憶されている装置の取り外し可能な構成要素、（２）いくつかの構成要素画像のうちの異なる１つを定義するベクトルセット、及び（３）ベクトル画像の表示中、構成要素画像の表示に影響を及ぼす編集可能な表示インジケータ、が関連付けられる。
【００２１】
単純な一実施形態では、各装置１１０〜１１４は記憶されている画像セット（場合によっては１つのみの画像）をフェッチして返す能力を有する必要があるだけである。しかし、他の実施形態では、装置のインタフェースは特定の画像を（たとえば、アドレス、数値、又はタイプを介して）フェッチする能力を有し得る。装置のインタフェースはまた、装置について構成要素の存在情報及び状態情報を、そうする必要がない場合であっても返してもよい。
【００２２】
例示的なシステム１０２はいずれの管理ツール１０４〜１０８又は装置１１０〜１１４からも離れて記憶されて実行されるユーティリティ１００を示すが、ユーティリティ１００は別法として、特定の管理ツール又は装置にローカルに（たとえば、装置内に）記憶されて実行されてもよい。
【００２３】
ユーティリティ１００を使用することができる例示的な文脈について説明した。これより、ユーティリティ１００についてさらに詳細に説明する。図２に示すように、ユーティリティ１００は、装置管理ツールから画像要求を受け取ったことに応答して、画像要求のターゲットである装置からベクトル画像を検索するコード２００を含む。ベクトル画像の検索前、検索中、又は検索後に、コード２０２は、装置の取り外し可能構成要素の構成要素存在情報を検索する。たとえば、コード２０２は、マザーボードに実装されている可能性があるプロセッサ又はメモリカードの構成要素存在情報を検索することができる。複数の取り外し可能構成要素が装置に実装されている可能性がある場合、コード２０２は好ましくは、それら構成要素すべての構成要素存在情報を検索する。
【００２４】
一実施形態では、コード２００はまずベクトル画像を検索し、次いでベクトル画像を解析して、存在情報が必要な取り外し可能構成要素のセットを識別する。別の実施形態では、コード２０２は単に、装置の構成要素存在情報に対する全般的なクエリを発行する。
【００２５】
一実施形態では、コード２０２によって発行されるクエリは、ベクトル画像が検索される装置に対して行われる。これに代えて（これに加えて）、ユーティリティ１００は、装置とインタフェースするオペレーティングシステムから、或いはユーティリティ１００が認識している１つ又は複数の管理ツールから構成要素存在情報を検索することができる。
【００２６】
構成要素存在情報を検索した後、コード２０４が、構成要素存在情報に応答してベクトル画像をフォーマットする。これは、まずベクトル画像内の構成要素タグを識別することによって行われ、タグには、（１）取り外し可能構成要素及び（２）構成要素画像を定義するベクトルセット、が関連付けられている。次いで、取り外し可能構成要素の構成要素存在情報に従って、構成要素タグに対応する表示インジケータが設定される。表示インジケータの設定により、ベクトル画像の表示中での構成要素画像の表示が影響を受ける。たとえば、図３及び図４に示すように、構成要素画像（ＣＰＵ＿１）の表示インジケータ（「ｓｔｙｌｅ（スタイル）」（図３））が「ｖｉｓｉｂｌｅ（表示）」に設定されている場合、構成要素画像３００は図４に示すように表示することができる。構成要素画像３００はベクトル画像４００内に含まれるため、ベクトル画像４００に対するその配置、サイズ、及び向きは固定され、ＣＰＵ＿１が存在する場合に構成要素画像３００をどのように表示するかを判断する必要はない。
【００２７】
他方、図５及び図６に示すように、構成要素画像（ＣＰＵ＿１）の表示インジケータ（「ｓｔｙｌｅ（スタイル）」（図５））が「ｉｎｖｉｓｉｂｌｅ（非表示）」に設定されている場合、図６に示すように、ベクトル画像６００を構成要素画像３００なしで表示することができる。構成要素画像３００が非表示にされる場合、構成要素画像３００が表示される場合にはオーバーレイするベクトル画像６００の一部分（たとえば、ソケット６０２）を見ることができる。
【００２８】
「表示」及び「非表示」という表示インジケータに代えて（又はこれに加えて）、表示インジケータは不透明（存在する場合）又は半透明（存在しない場合）な構成要素画像になるように設定することができる。表示インジケータはまた、構成要素画像を複数の色のうちの一色で描画させる（たとえば、存在する場合には黒、存在しない場合には赤）ようにも設定することができる。表示インジケータはまた、構成要素画像を塗りつぶしパターンで描画させる（たとえば、存在する場合には緑、存在しない場合には赤、又は存在する場合にはベタ、存在しない場合には網掛けで）ようにも設定することができる。表示インジケータを「ｉｎｖｉｓｉｂｌｅ（非表示）」又は「ｔｒａｎｓｌｕｃｅｎｔ（半透明）」に設定することにより、デフォルトの網掛け又はベクトル画像内に含まれる或る他のデフォルトインジケータを表示させてもよいことにも留意されたい。
【００２９】
オプションとして、ユーティリティ１００は、取り外し可能構成要素の構成要素状態情報を検索するコードを含み得る。コード２０２と同様に、構成要素状態情報を検索するコードは、ベクトル画像が検索される装置、その装置とインタフェースするオペレーティングシステム、或いはユーティリティ１００が認識している１つ又は複数の管理ツールに対してクエリを発行することができる。検索された状態情報は単純に、構成要素が所望通りに機能しているか否かについての肯定／否定のインジケータであってもよい。別法として、状態情報は、構成要素のパフォーマンスの品質又は一貫性に関する追加情報を含むことができる。
【００３０】
取り外し可能構成要素の状態情報を検索することができる場合、コード１０６は状態情報に応答してベクトル画像をさらにフォーマットすることができる。たとえば、表示インジケータを、構成要素存在情報に従って設定するのに加えて、構成要素状態情報に従って設定することができる（たとえば、構成要素が存在し、作動中である場合、その表示インジケータを「ｖｉｓｉｂｌｅ，ｇｒｅｅｎ（表示、緑）」に設定し、構成要素が存在はしているが作動していない場合には表示インジケータを「ｖｉｓｉｂｌｅ，ｒｅｄ（表示、赤）」に設定することができる）。
【００３１】
構成要素状態情報を、複数の設定を有する表示インジケータの提供に使用することに加えて、複数の画像の表示インジケータを設定することにも使用することができる。たとえば、ユーティリティ１００は、ベクトル画像内に単一の取り外し可能構成要素に対応する複数の構成要素タグを識別する場合、構成要素状態情報を使用して複数の画像のうちの適切なものの表示インジケータを「ｖｉｓｉｂｌｅ（表示）」に設定することができる。たとえば、種々の複雑な物理的状態を呈し得る構成要素を考える。これら異なる状態を、単一の構成要素画像の色又は塗りつぶしパターンを変えることによって表すのではなく、構成要素の異なる状態に異なる構成要素画像を提供することができ、各種構成要素画像の表示インジケータを、構成要素画像のうちの適切なものを表示させる（残りは非表示にする）ように変更することができる。
【００３２】
構成要素存在情報（及び場合によっては構成要素状態情報）を使用してベクトル画像をフォーマットした後、コード２０６（図２）はベクトル画像をフォーマットしたものを、画像を要求した装置管理ツールに返す。
【００３３】
場合によっては、コード２０６によって返されたフォーマット済み画像は、検索されたベクトル画像に固有のフォーマット（たとえば、ＳＶＧフォーマット）を含み得る。また場合によっては、ベクトル画像をフォーマットすることは画像をレンダリングする（すなわち、画像をラスタベースのフォーマットに変換する）ことを含み得る。
【００３４】
上述したように、コード２００〜２０６は、他の管理ツール１０４〜１０８及び装置１１０〜１１４から離れたユーティリティ１００内に含めることができる。別法として、コード２００〜２０６のインスタンスを管理ツール１０４〜１０８の一部として提供してもよく、又は装置１１０〜１１４に記憶して実行してもよい。
【００３５】
上記説明は１つの構成要素画像（又は１つの取り外し可能構成要素に対応する構成要素画像群）の表示インジケータの設定に主に焦点を絞ったが、本明細書において開示するコード２００〜２０６は複数の取り外し可能構成要素の表示インジケータの同時設定にも使用できることが想像される。
【図面の簡単な説明】
【００３６】
【図１】画像フォーマットユーティリティを使用することができる例示的なシステムを示す図である。
【図２】図１に示す画像フォーマットユーティリティの例示的な第１の実施形態を示す図である。
【図３】構成要素画像ＣＰＵ＿１に関連付けられた表示インジケータが「ｖｉｓｉｂｌｅ（表示）」に設定されている例示的なベクトル画像を示す図である。
【図４】図３に示すベクトル画像の表示を示す図である。
【図５】構成要素画像ＣＰＵ＿１に関連付けられた表示インジケータが「ｉｎｖｉｓｉｂｌｅ（非表示）」に設定されている、図３に示すベクトル画像の変更形態を示す図である。
【図６】図５に示すベクトル画像の表示を示す図である。
【符号の説明】
【００３７】
１００：画像フォーマットユーティリティ
１０４、１０６、１０８：装置管理ツール
１１０、１１２、１１４：装置
【図１】
2007122722.tif 000003
【図２】
2007122722.tif 000004
【図３】
2007122722.tif 000005
【図４】
2007122722.tif 000006
【図５】
2007122722.tif 000007
【図６】
2007122722.tif 000008